(57)【要約】【課題】左右両側支持脚部を分割した上方支持部と下方支持部の間に、伸張バネ体を離脱しないように接続して上方ローラと下方ローラを外側方に均一に強く押圧支持し、カレンダー本体の弛みと張りを確実にした。【解決手段】左側支持脚部ｄと右側支持脚部ｅが、上方支持部５と下方支持部６に分割され、夫々伸張バネ体ｆの上方部と下方部が接続され、伸張バネ体ｆの伸張力によって、左側支持脚部ｄと右側支持脚部ｅが上方ローラｂと下方ローラｃとを常時突張らしめ、同時にカレンダー本体Ａを弛まず突張り状態を保持せしめ組立てられている。【選択図】    図１
2020040340.tif 000002
【特許請求の範囲】
【請求項１】
月日・７曜・祝祭日等が縦状に表示せしめられた１月から１２月までのフィルム状月別カレンダーを接続せしめたエンドレス状にして且リング状のカレンダー本体を形成せしめ、前記カレンダー本体のリング状内側部に、上方ローラと下方ローラを嵌挿せしめ、前記上方ローラと下方ローラの両端部に、前記上方ローラと下方ローラが、弛まず張られた状態を確保せしめることができるように、左側支持脚部の端部と右側支持脚部の端部を前記上方ローラと前記下方ローラが回動できるように接続せしめ、且前記上方ローラと前記下方ローラとを平行状に並列せしめ組立てる回転式カレンダーにおいて、
前記左側支持脚部と前記右側支持脚部が、上方支持部と下方支持部に分割せしめられ、且前記上方支持部と前記下方支持部に、夫々伸張バネ体の上方部と下方部が接続せしめられ、前記伸張バネ体の伸張力によって、前記左側支持脚部と前記右側支持脚部が前記上方ローラと前記下方ローラとを常時突張らしめ、同時に前記カレンダー本体を弛まず突張り状態を保持せしめ組立てられていることを特徴とする回転式カレンダー。
【請求項２】
前記上方ローラと前記下方ローラの幅員が、前記カレンダー本体の幅員よりも大きく形成せしめられていることを特徴とする、請求項１に記載の回転式カレンダー。
【請求項３】
前記上方ローラと前記下方ローラが、縦断面が円形状となっていることを特徴とする、請求項１又は２に記載の回転式カレンダー。
【請求項４】
前記上方ローラと前記下方ローラの径が、同一寸法にて形成せしめられていることを特徴とする、請求項１又は２又は３に記載の回転式カレンダー。
【請求項５】
回転式カレンダーの製造法において、
第１工程として、暦の月日・７曜・祝祭日等が縦状に表示せしめられた１月から１２月までのフィルム状月別カレンダーを接続せしめるカレンダー本体を形成せしめ、
第２工程として、前記第１工程によって形成せしめられたカレンダー本体の内側部に、前記カレンダー本体が弛まず張られた状態を確保せしめることができるように上方ローラと下方ローラを嵌挿せしめ、
第３工程として、前記上方ローラと前記下方ローラの両端部に、伸張バネ体を接続せしめた左側支持脚部の端部と、右側支持脚部の端部を挿入せしめ、且接続せしめて、前記上方ローラと前記下方ローラとを平行状に嵌挿し並列せしめ組立てることを特徴とする、回転式カレンダーの製造法。
【発明の詳細な説明】
【技術分野】
【０００１】
本発明は、縦状に表示の１月から１２月までのエンドレス状にして且リング状の月別カレンダー本体の内側部に、上方ローラと下方ローラを平行状に嵌挿せしめ、前記上方ローラと下方ローラの両端部に、左右両側支持脚部を接続せしめ、前記左右両側支持脚部が上方支持部と下方支持部に分割され、前記上方支持部と下方支持部に伸張バネ体を接続せしめ、前記上方ローラと下方ローラを平行状に突っ張り並列せしめ組立てる回転式カレンダー及び製造法の技術分野に関するものである。
【背景技術】
【０００２】
従来、回転式カレンダー及び製造法として、本件出願人が特許出願済みの特願２０１８‐１２０７３６号がある。
【０００３】
前記した本件出願人が出願済みの特願２０１８−１２０７３６号の発明は、１月から１２月までの月別カレンダー本体のリング状内側部に、上方ローラと下方ローラを前記月別カレンダーに対し、直角状にして、且並列状に嵌挿せしめて、弛まず張られた状態を確保した構造にして、前記月別カレンダー本体を手指でつかみ、さらに月別カレンダー本体を上方向もしくは下方向にスライド可能な構造なので、所望する月毎の曜日、祝祭日等を極めて迅速にして且簡単に見ることができるようにしたものである。
【０００４】
さらに、前記発明の回転式カレンダーは、机上や室内の壁面に吸着せしめて、所望する月毎の曜日、祝祭日等を極めて迅速にして且簡単に見ることができるようにしたものである。
【０００５】
また、前記発明の回転式カレンダーは、カレンダー本体を前記カレンダー本体に対し直角状にして、且平行状の２本のローラに左右両側支持脚部を挿込み、常時突っ張り状態を持続せしめながら、カレンダー本体を弛むことなくカレンダー本体を極めて見易くしたものである。
【０００６】
さらに、前記発明の回転式カレンダーは、第１工程としてカレンダー本体を、第２工程としてカレンダー本体の内側に２つの上下方ローラを挿入せしめる工程とし、第３工程として、前記２本の上下方ローラを２本の左右両側支持脚部によって平行状に並列せしめて極めて簡単に製造できるようにしたものである。
【先行技術文献】
【特許文献】
【０００７】
【特許文献１】特願２０１８−１２０７３６号に係る発明
【発明の概要】
【発明が解決しようとする課題】
【０００８】
しかるに、本発明は、前記した特願２０１８−１２０７３６号の発明の構成部材である、左側支持脚部と右側支持脚部が、上方ローラと下方ローラを弛まず張られた状態を確実に持続せしめることができなかったものを、前記左右両側支持脚部を分割して構成し、分割構成された上方支持部と下方支持部の間に、伸張バネ体を離脱しないように接続せしめることによって前記上方ローラと前記下方ローラを外側方に均一に強く押圧支持して、カレンダー本体の弛みと張りを確実に確保せしめ、前記カレンダー本体のフィルム状カレンダーをより一層見易くした。
【０００９】
さらに、本発明は、前記カレンダー本体に対する手指での摘みながらの回動表示操作をより一層スムーズにせしめた。
【課題を解決するための手段】
【００１０】
課題を解決するための手段として、請求項１に記載の発明は、月日・７曜・祝祭日等が縦状に表示せしめられた１月から１２月までのフィルム状月別カレンダーａを接続せしめたエンドレス状にして且リング状のカレンダー本体Ａを形成せしめ、前記カレンダー本体Ａのリング状内側部に、上方ローラｂと下方ローラｃを嵌挿せしめ、前記上方ローラｂと下方ローラｃの両端部１、２に、前記上方ローラｂと下方ローラｃが、弛まず張られた状態を確保せしめることができるように、左側支持脚部ｄの端部３と右側支持脚部ｅの端部４を前記上方ローラｂと前記下方ローラｃが回動できるように接続せしめ、且前記上方ローラｂと前記下方ローラｃとを平行状に並列せしめ組立てる回転式カレンダーにおいて、
前記左側支持脚部ｄと前記右側支持脚部ｅが、上方支持部５と下方支持部６に分割せしめられ、且前記上方支持部５と前記下方支持部６に、夫々伸張バネ体ｆの上方部と下方部が接続せしめられ、前記伸張バネ体ｆの伸張力によって、前記左側支持脚部ｄと前記右側支持脚部ｅが前記上方ローラｂと前記下方ローラｃとを常時突張らしめ、同時に前記カレンダー本体Ａを弛まず突張り状態を保持せしめ組立てられていることを特徴とする回転式カレンダーである。
【００１１】
課題を解決するための手段として、請求項２に記載の発明は、前記上方ローラｂと前記下方ローラｃの幅員が、前記カレンダー本体Ａの幅員よりも大きく形成せしめられていることを特徴とする請求項１に記載の回転式カレンダーである。  
【００１２】
課題を解決するための手段として、請求項３に記載の発明は、前記上方ローラｂと前記下方ローラｃが、縦断面が円形状となっていることを特徴とする請求項１又は２に記載の回転式カレンダーである。
【００１３】
課題を解決するための手段として、請求項４に記載の発明は、前記左側支持脚部ｄと前記右側支持脚部ｅが、線材を折曲し形成せしめられた下方突出部５に、吸着部６を取着せしめることを特徴とする請求項１又は２又は３に記載の回転式カレンダーである。
【００１４】
課題を解決するための手段として、請求項５に記載の発明は、回転式カレンダーの製造法において、
第１工程として、暦の月日・７曜・祝祭日等が縦状に表示せしめられた１月から１２月までのフィルム状月別カレンダーａを接続せしめるカレンダー本体Ａを形成せしめ、
第２工程として、前記第１工程によって形成せしめられたカレンダー本体Ａの内側部に、前記カレンダー本体Ａが弛まず張られた状態を確保せしめることができるように上方ローラｂと下方ローラｃを嵌挿せしめ、
第３工程として、前記上方ローラｂと前記下方ローラｃの両端部１、２に、伸張バネ体ｆを接続せしめた左側支持脚部ｄの端部３と、右側支持脚部ｅの端部４を挿入せしめ、且接続せしめて、前記上方ローラｂと前記下方ローラｃとを平行状に嵌挿し並列せしめ組立てることを特徴とする回転式カレンダーの製造法である。
【発明の効果】
【００１５】
本発明は、上述のとおりの構成及び製法であって、殊に、フィルム状カレンダーを有するカレンダー本体を、組立て後に弛まない状態を持続せしめるために、上方ローラと下方ローラを押圧支持せしめる左側支持脚部と右側支持脚部を、夫々分割し、分割せしめられた上方支持部と下方支持部の下端部と上端部に、伸張バネ体の上端部と下端部を接続せしめ、前記伸張バネ体の伸張力によって、前記左側支持脚部と右側支持脚部を外側方に常時押圧し、前記押圧によって、前記上方ローラと下方ローラを比例して押圧せしめることができるようにしたので、前記上方ローラと前記下方ローラに張りめぐらされているカレンダー本体が、弛まず垂れたりせず、所望する月の月別カレンダーを常時見易くせしめることができる利点がある。
【００１６】
さらに、本発明は、上述のとおりなので、回転式カレンダーの製造が極めて簡単にして、且確実に、そして安価に製造することができる利点がある。
【図面の簡単な説明】
【００１７】
【図１】本発明の回転式カレンダーの正面図である。
【００１８】
【図２】同回転式カレンダーの背面図である。
【００１９】
【図３】同回転式カレンダーの右側面図である。
【００２０】
【図４】図３の回転式カレンダーの一部切欠拡大右側面図である。
【発明を実施するための最良の形態】
【００２１】
本発明の請求項１〜５に記載の発明に関する実施の形態は、共通しているので、一括して以下のとおり説明する。
【００２２】
図において、Ａは月日・７曜・祝祭日等が縦状に表示せしめられた１月から１２月までのフィルム状月別カレンダーａをエンドレス状にして、且リング状にて形成せしめられたカレンダー本体である。前記のカレンダーａは、限定するものでない。
【００２３】
ｂは通常縦断面形状が円形状をした長さが前記回転式カレンダー本体Ａを構成する月別カレンダーａの幅員よりも長目に形成せしめられた上方ローラである。１、２は前記ローラｂの端部である。
【００２４】
ｃは前記上方ローラｂと同じ構造にて形成せしめられた下方ローラである。１、２は前記ローラｃの端部である。
【００２５】
前記２本の上下方ローラｂ、ｃは、内部に充填部材２ａが詰められている。
【００２６】
ｄは線材を折曲せしめ形成された前記上下方ローラｂ、ｃを支持する左側支持脚部である。さらに、該左側支持脚部ｄは、分割されて上方支持部５と下方支持部６となっている。
【００２７】
そして、前記左側支持脚部ｄと反対側方の右側支持脚部ｅも、上方支持部５と下方支持部６に分割されている。
【００２８】
さらに、前記左側支持脚部ｄと前記右側支持脚部ｅの前記上方支持部５と下方支持部６には、伸張バネ体ｆの上方部と下方部が夫々接続されている。前記接続の手段は限定しない。
【００２９】
さらに、前記左右両側支持脚部ｄ、ｅを構成する上方支持部５、５は、図１、２、３、４に図示されているように、前記伸張バネ体ｆ内を通過し、パイプ状の下方支持部６、６内に嵌挿せしめられている。嵌挿の長さは限定しない。
【００３０】
本発明は、前記上方ローラｂと下方ローラｃを手指で軽く掴んで内側方向に押圧すると、前記左右両側支持脚部ｄ、ｅが、前記両伸張バネ体ｆ、ｆの縮み作用によって若干短くなる。
【００３１】
本発明は、前記のように、上方ローラｂと下方ローラｃを手指で軽く掴んで内側方向に押圧すると、エンドレス状の前記カレンダー本体Ａが、前記上方ローラｂと下方ローラｃの左側方もしくは右側方から、嵌挿せしめ組立てたり、分離せしめることができる。
【００３２】
図において、２ｂは前記上方ローラｂと下方ローラｃ内に詰込まれた充填部材２ａ内に貫通せしめられたパイプ状支持杆である。
【００３３】
前記上方ローラｂと下方ローラｃ内に嵌挿する前記パイプ状支持杆２ｂ内には、前記左側支持脚部ｄと前記右側支持脚部ｅの上方支持部５と下方支持部６が夫々貫通し、且接続し、前記パイプ状支持杆２ｂより左右両サイドに飛出せしめられて、左側支持脚部ｄと右側支持脚部ｅを構成する。
【００３４】
図において、７は左右両側支持脚部ｄ、ｅの上方支持部５と下方支持部６に、外側方に所定の形状にて折曲状に形成せしめられた突出状脚部である。図において、４個形成せしめられているが限定しない。
【００３５】
前記突出状脚部７、７、７、７によって、本発明は、の回転式カレンダーＡが、テーブル（図面なし）上に載置できる。
【００３６】
８は前記左右両側支持脚部ｄ、ｅの上方支持部５と下方支持部６と、前記伸張バネ体ｆの上端部と下端部とを接続せしめた接続部である。該接続部８の接続手段については、特に限定するものではない。因みに本発明は熔着してある。
【００３７】
図において、前記伸張バネ体ｆ内を貫通せしめている部材は、左右両側支持脚部ｄ、ｅの上方支持部５と下方支持部６であるが、これに限定するものでなく、下方支持部６でもよい。
【００３８】
本発明において、前記カレンダー本体Ａを構成する月別カレンダーａは、図面（図１、２）では１年間の１月から１２月となっているが、これに限定するものではない。
【００３９】
さらに、前記伸張バネ体ｆは、バネの種類の中で伸張バネが採用されている。
【００４０】
＜本発明の回転式カレンダーの製造法＞
つぎに本発明の回転式カレンダーの製造法について説明すると以下のとおりである。
【００４１】
第１工程として、暦の月日・７曜・祝祭日等が縦状に表示せしめられた１月から１２月までのフィルム状月別カレンダーａを接続せしめるカレンダー本体Ａを形成せしめる。
【００４２】
第２工程として、前記第１工程によって形成せしめられたカレンダー本体Ａの内側部に、前記上方ローラｂと前記下方ローラｃの両端部１、２に、伸張バネ体ｆを接続せしめた左側支持脚部ｄの端部３を、伸張バネ体ｆを接続せしめた右側支持脚部ｅの端部４を、夫々挿入し接続せしめ組立てる。
【００４３】
以上が本発明の回転式カレンダーの製造法である。
【００４４】
以上、本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００４５】
Ａ        カレンダー本体
ａ        月別カレンダー
ｂ        上方ローラ
ｃ        下方ローラ
ｄ        左側支持脚部
ｅ        右側支持脚部
ｆ        伸張バネ体
１        端部
２        端部
２ａ      充填部材
２ｂ      パイプ状支持杆
３        端部
４        端部
５        上方支持部
６        下方支持部
７        突出状脚部
８        接続部
【図１】
2020040340.tif 000003
【図２】
2020040340.tif 000004
【図３】
2020040340.tif 000005
【図４】
2020040340.tif 000006
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
月日・７曜・祝祭日等が縦状に表示せしめられた１月から１２月までのフィルム状月別カレンダーを接続せしめたエンドレス状にして且リング状のカレンダー本体を形成せしめ、前記カレンダー本体のリング状内側部に、上方ローラと下方ローラを嵌挿せしめ、前記上方ローラと下方ローラの両端部に、前記上方ローラと下方ローラが、弛まず張られた状態を確保せしめることができるように、左側支持脚部の端部と右側支持脚部の端部を前記上方ローラと前記下方ローラが回動できるように接続せしめ、且前記上方ローラと前記下方ローラとを平行状に並列せしめ組立てる回転式カレンダーにおいて、
前記左側支持脚部と前記右側支持脚部が、上方支持部と下方支持部に分割せしめられ、且前記上方支持部と前記下方支持部に、夫々伸張バネ体の上方部と下方部が接続せしめられ、前記伸張バネ体の伸張力によって、前記左側支持脚部と前記右側支持脚部が前記上方ローラと前記下方ローラとを常時突張らしめ、同時に前記カレンダー本体を弛まず突張り状態を保持せしめ、前記上方ローラと前記下方ローラの幅員が、前記カレンダー本体の幅員よりも大きく形成せしめられ、前記上方ローラと前記下方ローラが、縦断面が円形状に形成せしめられ、前記左側支持脚部と前記右側支持脚部が、線材を折曲し形成せしめられた下方突出部に、吸着部を取着せしめ、前記左側支持脚部と前記右側支持脚部の上方支持部と下方支持部に、外側方に所定の形状にて折曲状に突出状脚部を形成せしめ、組立てられていることを特徴とする回転式カレンダーである。
【請求項２】
回転式カレンダーの製造法において、
第１工程として、暦の月日・７曜・祝祭日等が縦状に表示せしめられた１月から１２月までのフィルム状月別カレンダーを接続せしめるカレンダー本体を形成せしめ、
第２工程として、前記第１工程によって形成せしめられたカレンダー本体の内側部に、前記カレンダー本体が弛まず張られた状態を確保せしめることができるように上方ローラと下方ローラを嵌挿せしめ、
第３工程として、前記上方ローラと前記下方ローラの両端部に、伸張バネ体を接続せしめた左側支持脚部の端部と、右側支持脚部の端部を挿入せしめ、且接続せしめて、前記上方ローラと前記下方ローラとを平行状に嵌挿し並列せしめ組立てることを特徴とする回転式カレンダーの製造法。
【手続補正２】
【補正対象書類名】明細書
【補正対象項目名】全文
【補正方法】変更
【補正の内容】
【発明の詳細な説明】
【技術分野】
【０００１】
本発明は、縦状に表示の１月から１２月までのエンドレス状にして且リング状の月別カレンダー本体の内側部に、上方ローラと下方ローラを平行状に嵌挿せしめ、前記上方ローラと下方ローラの両端部に、左右両側支持脚部を接続せしめ、前記左右両側支持脚部が上方支持部と下方支持部に分割され、前記上方支持部と下方支持部に伸張バネ体を接続せしめ、前記上方ローラと下方ローラを平行状に突っ張り並列せしめ組立てる回転式カレンダー及び製造法の技術分野に関するものである。
【背景技術】
【０００２】
従来、回転式カレンダー及び製造法として、本件出願人が特許出願済みの特願２０１８‐１２０７３６号がある。
【０００３】
前記した本件出願人が出願済みの特願２０１８−１２０７３６号の発明は、１月から１２月までの月別カレンダー本体のリング状内側部に、上方ローラと下方ローラを前記月別カレンダーに対し、直角状にして、且並列状に嵌挿せしめて、弛まず張られた状態を確保した構造にして、前記月別カレンダー本体を手指でつかみ、さらに月別カレンダー本体を上方向もしくは下方向にスライド可能な構造なので、所望する月毎の曜日、祝祭日等を極めて迅速にして且簡単に見ることができるようにしたものである。
【０００４】
さらに、前記発明の回転式カレンダーは、机上や室内の壁面に吸着せしめて、所望する月毎の曜日、祝祭日等を極めて迅速にして且簡単に見ることができるようにしたものである。
【０００５】
また、前記発明の回転式カレンダーは、カレンダー本体を前記カレンダー本体に対し直角状にして、且平行状の２本のローラに左右両側支持脚部を挿込み、常時突っ張り状態を持続せしめながら、カレンダー本体を弛むことなくカレンダー本体を極めて見易くしたものである。
【０００６】
さらに、前記発明の回転式カレンダーは、第１工程としてカレンダー本体を、第２工程としてカレンダー本体の内側に２つの上下方ローラを挿入せしめる工程とし、第３工程として、前記２本の上下方ローラを２本の左右両側支持脚部によって平行状に並列せしめて極めて簡単に製造できるようにしたものである。
【先行技術文献】
【特許文献】
【０００７】
【特許文献１】特願２０１８−１２０７３６号の発明
【発明の概要】
【発明が解決しようとする課題】
【０００８】
しかるに、本発明は、前記した特願２０１８−１２０７３６号の発明の構成部材である、左側支持脚部と右側支持脚部が、上方ローラと下方ローラを弛まず張られた状態を確実に持続せしめることができなかったものを、前記左右両側支持脚部を分割して構成し、分割構成された上方支持部と下方支持部の間に、伸張バネ体を離脱しないように接続せしめることによって前記上方ローラと前記下方ローラを外側方に均一に強く押圧支持して、カレンダー本体の弛みと張りを確実に確保せしめ、前記カレンダー本体のフィルム状カレンダーをより一層見易くした。
【０００９】
さらに、本発明は、前記カレンダー本体に対する手指での摘みながらの回動表示操作をより一層スムーズにせしめた。
【課題を解決するための手段】
【００１０】
課題を解決するための手段として、請求項１に記載の発明は、月日・７曜・祝祭日等が縦状に表示せしめられた１月から１２月までのフィルム状月別カレンダーａを接続せしめたエンドレス状にして且リング状のカレンダー本体Ａを形成せしめ、前記カレンダー本体Ａのリング状内側部に、上方ローラｂと下方ローラｃを嵌挿せしめ、前記上方ローラｂと下方ローラｃの両端部１、２に、前記上方ローラｂと下方ローラｃが、弛まず張られた状態を確保せしめることができるように、左側支持脚部ｄの端部３と右側支持脚部ｅの端部４を前記上方ローラｂと前記下方ローラｃが回動できるように接続せしめ、且前記上方ローラｂと前記下方ローラｃとを平行状に並列せしめ組立てる回転式カレンダーにおいて、
前記左側支持脚部ｄと前記右側支持脚部ｅが、上方支持部５と下方支持部６に分割せしめられ、且前記上方支持部５と前記下方支持部６に、夫々伸張バネ体ｆの上方部と下方部が接続せしめられ、前記伸張バネ体ｆの伸張力によって、前記左側支持脚部ｄと前記右側支持脚部ｅが前記上方ローラｂと前記下方ローラｃとを常時突張らしめ、同時に前記カレンダー本体Ａを弛まず突張り状態を保持せしめ、前記上方ローラｂと前記下方ローラｃの幅員が、前記カレンダー本体Ａの幅員よりも大きく形成せしめられ、前記上方ローラｂと前記下方ローラｃが、縦断面が円形状に形成せしめられ、前記左側支持脚部ｄと前記右側支持脚部ｅが、線材を折曲し形成せしめられた下方突出部５に、吸着部６を取着せしめ、前記左側支持脚部ｄと前記右側支持脚部ｅの上方支持部５と下方支持部６に、外側方に所定の形状にて折曲状に突出状脚部７を形成せしめ、組立てられていることを特徴とする回転式カレンダーである。
【００１１】
課題を解決するための手段として、請求項２に記載の発明は、回転式カレンダーの製造法において、
第１工程として、暦の月日・７曜・祝祭日等が縦状に表示せしめられた１月から１２月までのフィルム状月別カレンダーａを接続せしめるカレンダー本体Ａを形成せしめ、
第２工程として、前記第１工程によって形成せしめられたカレンダー本体Ａの内側部に、前記カレンダー本体Ａが弛まず張られた状態を確保せしめることができるように上方ローラｂと下方ローラｃを嵌挿せしめ、
第３工程として、前記上方ローラｂと前記下方ローラｃの両端部１、２に、伸張バネ体ｆを接続せしめた左側支持脚部ｄの端部３と、右側支持脚部ｅの端部４を挿入せしめ、且接続せしめて、前記上方ローラｂと前記下方ローラｃとを平行状に嵌挿し並列せしめ組立てることを特徴とする回転式カレンダーの製造法である。
【発明の効果】
【００１２】
本発明は、上述のとおりの構成及び製法であって、殊に、フィルム状カレンダーを有するカレンダー本体を、組立て後に弛まない状態を持続せしめるために、上方ローラと下方ローラを押圧支持せしめる左側支持脚部と右側支持脚部を、夫々分割し、分割せしめられた上方支持部と下方支持部の下端部と上端部に、伸張バネ体の上端部と下端部を接続せしめ、前記伸張バネ体の伸張力によって、前記左側支持脚部と右側支持脚部を外側方に常時押圧し、前記押圧によって、前記上方ローラと下方ローラを比例して押圧せしめることができるようにしたので、前記上方ローラと前記下方ローラに張りめぐらされているカレンダー本体が、弛まず垂れたりせず、所望する月の月別カレンダーを常時見易くせしめることができる利点がある。
【００１３】
さらに、本発明は、上述のとおりなので、回転式カレンダーの製造が極めて簡単にして、且確実に、そして安価に製造することができる利点がある。
【図面の簡単な説明】
【００１４】
【図１】本発明の回転式カレンダーの正面図である。
【００１５】
【図２】同回転式カレンダーの背面図である。
【００１６】
【図３】同回転式カレンダーの右側面図である。
【００１７】
【図４】図３の回転式カレンダーの一部切欠拡大右側面図である。
【発明を実施するための最良の形態】
【００１８】
本発明の請求項１〜２に記載の発明に関する実施の形態は、共通しているので、一括して以下のとおり説明する。
【００１９】
図において、Ａは月日・７曜・祝祭日等が縦状に表示せしめられた１月から１２月までのフィルム状月別カレンダーａをエンドレス状にして、且リング状にて形成せしめられたカレンダー本体である。前記のカレンダーａは、限定するものでない。
【００２０】
ｂは通常縦断面形状が円形状をした長さが前記回転式カレンダー本体Ａを構成する月別カレンダーａの幅員よりも長目に形成せしめられた上方ローラである。１、２は前記ローラｂの端部である。
【００２１】
ｃは前記上方ローラｂと同じ構造にて形成せしめられた下方ローラである。１、２は前記ローラｃの端部である。
【００２２】
前記２本の上下方ローラｂ、ｃは、内部に充填部材２ａが詰められている。
【００２３】
ｄは線材を折曲せしめ形成された前記上下方ローラｂ、ｃを支持する左側支持脚部である。さらに、該左側支持脚部ｄは、分割されて上方支持部５と下方支持部６となっている。
【００２４】
そして、前記左側支持脚部ｄと反対側方の右側支持脚部ｅも、上方支持部５と下方支持部６に分割されている。
【００２５】
さらに、前記左側支持脚部ｄと前記右側支持脚部ｅの前記上方支持部５と下方支持部６には、伸張バネ体ｆの上方部と下方部が夫々接続されている。前記接続の手段は限定しない。
【００２６】
さらに、前記左右両側支持脚部ｄ、ｅを構成する上方支持部５、５は、図１、２、３、４に図示されているように、前記伸張バネ体ｆ内を通過し、パイプ状の下方支持部６、６内に嵌挿せしめられている。嵌挿の長さは限定しない。
【００２７】
本発明は、前記上方ローラｂと下方ローラｃを手指で軽く掴んで内側方向に押圧すると、前記左右両側支持脚部ｄ、ｅが、前記両伸張バネ体ｆ、ｆの縮み作用によって若干短くなる。
【００２８】
本発明は、前記のように、上方ローラｂと下方ローラｃを手指で軽く掴んで内側方向に押圧すると、エンドレス状の前記カレンダー本体Ａが、前記上方ローラｂと下方ローラｃの左側方もしくは右側方から、嵌挿せしめ組立てたり、分離せしめることができる。
【００２９】
図において、２ｂは前記上方ローラｂと下方ローラｃ内に詰込まれた充填部材２ａ内に貫通せしめられたパイプ状支持杆である。
【００３０】
前記上方ローラｂと下方ローラｃ内に嵌挿する前記パイプ状支持杆２ｂ内には、前記左側支持脚部ｄと前記右側支持脚部ｅの上方支持部５と下方支持部６が夫々貫通し、且接続し、前記パイプ状支持杆２ｂより左右両サイドに飛出せしめられて、左側支持脚部ｄと右側支持脚部ｅを構成する。
【００３１】
図において、７は左右両側支持脚部ｄ、ｅの上方支持部５と下方支持部６に、外側方に所定の形状にて折曲状に形成せしめられた突出状脚部である。図において、４個形成せしめられているが限定しない。
【００３２】
前記突出状脚部７、７、７、７によって、本発明は、の回転式カレンダーＡが、テーブル（図面なし）上に載置できる。
【００３３】
８は前記左右両側支持脚部ｄ、ｅの上方支持部５と下方支持部６と、前記伸張バネ体ｆの上端部と下端部とを接続せしめた接続部である。該接続部８の接続手段については、特に限定するものではない。因みに本発明は熔着してある。
【００３４】
図において、前記伸張バネ体ｆ内を貫通せしめている部材は、左右両側支持脚部ｄ、ｅの上方支持部５と下方支持部６であるが、これに限定するものでなく、下方支持部６でもよい。
【００３５】
本発明において、前記カレンダー本体Ａを構成する月別カレンダーａは、図面（図１、２）では１年間の１月から１２月となっているが、これに限定するものではない。
【００３６】
さらに、前記伸張バネ体ｆは、バネの種類の中で伸張バネが採用されている。
【００３７】
＜本発明の回転式カレンダーの製造法＞
つぎに本発明の回転式カレンダーの製造法について説明すると以下のとおりである。
【００３８】
第１工程として、暦の月日・７曜・祝祭日等が縦状に表示せしめられた１月から１２月までのフィルム状月別カレンダーａを接続せしめるカレンダー本体Ａを形成せしめる。
【００３９】
第２工程として、前記第１工程によって形成せしめられたカレンダー本体Ａの内側部に、前記上方ローラｂと前記下方ローラｃの両端部１、２に、伸張バネ体ｆを接続せしめた左側支持脚部ｄの端部３を、伸張バネ体ｆを接続せしめた右側支持脚部ｅの端部４を、夫々挿入し接続せしめ組立てる。
【００４０】
以上が本発明の回転式カレンダーの製造法である。
【００４１】
以上、本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００４２】
Ａ        カレンダー本体
ａ        月別カレンダー
ｂ        上方ローラ
ｃ        下方ローラ
ｄ        左側支持脚部
ｅ        右側支持脚部
ｆ        伸張バネ体
１        端部
２        端部
２ａ      充填部材
２ｂ      パイプ状支持杆
３        端部
４        端部
５        上方支持部
６        下方支持部
７        突出状脚部
８        接続部
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
月日・７曜・祝祭日等が縦状に表示せしめられた１月から１２月までのフィルム状月別カレンダーを接続せしめたエンドレス状にして且リング状のカレンダー本体を形成せしめ、前記カレンダー本体のリング状内側部に、上方ローラと下方ローラを嵌挿せしめ、前記上方ローラと下方ローラの両端部に、前記上方ローラと下方ローラが、弛まず張られた状態を確保せしめることができるように、左側支持脚部の端部と右側支持脚部の端部を前記上方ローラと前記下方ローラが回動できるように接続せしめ、且前記上方ローラと前記下方ローラとを平行状に並列せしめ組立てる回転式カレンダーにおいて、
前記左側支持脚部と前記右側支持脚部が、上方支持部と下方支持部に分割せしめられ、且前記上方支持部と前記下方支持部に、夫々伸張バネ体の上方部と下方部が接続せしめられ、前記伸張バネ体の伸張力によって、前記左側支持脚部と前記右側支持脚部が前記上方ローラと前記下方ローラとを常時突張らしめ、同時に前記カレンダー本体を弛まず突張り状態を保持せしめ、前記上方ローラと前記下方ローラの幅員が、前記カレンダー本体の幅員よりも大きく形成せしめられ、前記上方ローラと前記下方ローラが、縦断面が円形状に形成せしめられ、前記左側支持脚部と前記右側支持脚部が、線材を折曲し形成せしめられた下方突出部に、吸着部を取着せしめ、前記左側支持脚部と前記右側支持脚部の上方支持部と下方支持部に、外側方に所定の形状にて折曲状に突出状脚部を形成せしめ、組立てられていることを特徴とする回転式カレンダー。
【請求項２】
回転式カレンダーの製造法において、
第１工程として、暦の月日・７曜・祝祭日等が縦状に表示せしめられた１月から１２月までのフィルム状月別カレンダーを接続せしめるカレンダー本体を形成せしめ、
第２工程として、前記第１工程によって形成せしめられたカレンダー本体の内側部に、前記カレンダー本体が弛まず張られた状態を確保せしめることができるように上方ローラと下方ローラを嵌挿せしめ、
第３工程として、前記上方ローラと前記下方ローラの両端部に、伸張バネ体を接続せしめた左側支持脚部の端部と、右側支持脚部の端部を挿入せしめ、且接続せしめて、前記上方ローラと前記下方ローラとを平行状に嵌挿し並列せしめ組立てることを特徴とする回転式カレンダーの製造法。
【手続補正２】
【補正対象書類名】明細書
【補正対象項目名】全文
【補正方法】変更
【補正の内容】
【発明の詳細な説明】
【技術分野】
【０００１】
本発明は、縦状に表示の１月から１２月までのエンドレス状にして且リング状の月別カレンダー本体の内側部に、上方ローラと下方ローラを平行状に嵌挿せしめ、前記上方ローラと下方ローラの両端部に、左右両側支持脚部を接続せしめ、前記左右両側支持脚部が上方支持部と下方支持部に分割され、前記上方支持部と下方支持部に伸張バネ体を接続せしめ、前記上方ローラと下方ローラを平行状に突っ張り並列せしめ組立てる回転式カレンダー及び製造法の技術分野に関するものである。
【背景技術】
【０００２】
従来、回転式カレンダー及び製造法として、本件出願人が特許出願済みの特願２０１８‐１２０７３６号がある。
【０００３】
前記した本件出願人が出願済みの特願２０１８−１２０７３６号の発明は、１月から１２月までの月別カレンダー本体のリング状内側部に、上方ローラと下方ローラを前記月別カレンダーに対し、直角状にして、且並列状に嵌挿せしめて、弛まず張られた状態を確保した構造にして、前記月別カレンダー本体を手指でつかみ、さらに月別カレンダー本体を上方向もしくは下方向にスライド可能な構造なので、所望する月毎の曜日、祝祭日等を極めて迅速にして且簡単に見ることができるようにしたものである。
【０００４】
さらに、前記発明の回転式カレンダーは、机上や室内の壁面に吸着せしめて、所望する月毎の曜日、祝祭日等を極めて迅速にして且簡単に見ることができるようにしたものである。
【０００５】
また、前記発明の回転式カレンダーは、カレンダー本体を前記カレンダー本体に対し直角状にして、且平行状の２本のローラに左右両側支持脚部を挿込み、常時突っ張り状態を持続せしめながら、カレンダー本体を弛むことなくカレンダー本体を極めて見易くしたものである。
【０００６】
さらに、前記発明の回転式カレンダーは、第１工程としてカレンダー本体を、第２工程としてカレンダー本体の内側に２つの上下方ローラを挿入せしめる工程とし、第３工程として、前記２本の上下方ローラを２本の左右両側支持脚部によって平行状に並列せしめて極めて簡単に製造できるようにしたものである。
【先行技術文献】
【特許文献】
【０００７】
【特許文献１】特願２０１８−１２０７３６号の発明
【発明の概要】
【発明が解決しようとする課題】
【０００８】
しかるに、本発明は、前記した特願２０１８−１２０７３６号の発明の構成部材である、左側支持脚部と右側支持脚部が、上方ローラと下方ローラを弛まず張られた状態を確実に持続せしめることができなかったものを、前記左右両側支持脚部を分割して構成し、分割構成された上方支持部と下方支持部の間に、伸張バネ体を離脱しないように接続せしめることによって前記上方ローラと前記下方ローラを外側方に均一に強く押圧支持して、カレンダー本体の弛みと張りを確実に確保せしめ、前記カレンダー本体のフィルム状カレンダーをより一層見易くした。
【０００９】
さらに、本発明は、前記カレンダー本体に対する手指での摘みながらの回動表示操作をより一層スムーズにせしめた。
【課題を解決するための手段】
【００１０】
課題を解決するための手段として、請求項１に記載の発明は、月日・７曜・祝祭日等が縦状に表示せしめられた１月から１２月までのフィルム状月別カレンダーａを接続せしめたエンドレス状にして且リング状のカレンダー本体Ａを形成せしめ、前記カレンダー本体Ａのリング状内側部に、上方ローラｂと下方ローラｃを嵌挿せしめ、前記上方ローラｂと下方ローラｃの両端部１、２に、前記上方ローラｂと下方ローラｃが、弛まず張られた状態を確保せしめることができるように、左側支持脚部ｄの端部３と右側支持脚部ｅの端部４を前記上方ローラｂと前記下方ローラｃが回動できるように接続せしめ、且前記上方ローラｂと前記下方ローラｃとを平行状に並列せしめ組立てる回転式カレンダーにおいて、
前記左側支持脚部ｄと前記右側支持脚部ｅが、上方支持部５と下方支持部６に分割せしめられ、且前記上方支持部５と前記下方支持部６に、夫々伸張バネ体ｆの上方部と下方部が接続せしめられ、前記伸張バネ体ｆの伸張力によって、前記左側支持脚部ｄと前記右側支持脚部ｅが前記上方ローラｂと前記下方ローラｃとを常時突張らしめ、同時に前記カレンダー本体Ａを弛まず突張り状態を保持せしめ、前記上方ローラｂと前記下方ローラｃの幅員が、前記カレンダー本体Ａの幅員よりも大きく形成せしめられ、前記上方ローラｂと前記下方ローラｃが、縦断面が円形状に形成せしめられ、前記左側支持脚部ｄと前記右側支持脚部ｅが、線材を折曲し形成せしめられた下方突出部５に、吸着部６を取着せしめ、前記左側支持脚部ｄと前記右側支持脚部ｅの上方支持部５と下方支持部６に、外側方に所定の形状にて折曲状に突出状脚部７を形成せしめ、組立てられていることを特徴とする回転式カレンダーである。
【００１１】
課題を解決するための手段として、請求項２に記載の発明は、回転式カレンダーの製造法において、
第１工程として、暦の月日・７曜・祝祭日等が縦状に表示せしめられた１月から１２月までのフィルム状月別カレンダーａを接続せしめるカレンダー本体Ａを形成せしめ、
第２工程として、前記第１工程によって形成せしめられたカレンダー本体Ａの内側部に、前記カレンダー本体Ａが弛まず張られた状態を確保せしめることができるように上方ローラｂと下方ローラｃを嵌挿せしめ、
第３工程として、前記上方ローラｂと前記下方ローラｃの両端部１、２に、伸張バネ体ｆを接続せしめた左側支持脚部ｄの端部３と、右側支持脚部ｅの端部４を挿入せしめ、且接続せしめて、前記上方ローラｂと前記下方ローラｃとを平行状に嵌挿し並列せしめ組立てることを特徴とする回転式カレンダーの製造法である。
【発明の効果】
【００１２】
本発明は、上述のとおりの構成及び製法であって、殊に、フィルム状カレンダーを有するカレンダー本体を、組立て後に弛まない状態を持続せしめるために、上方ローラと下方ローラを押圧支持せしめる左側支持脚部と右側支持脚部を、夫々分割し、分割せしめられた上方支持部と下方支持部の下端部と上端部に、伸張バネ体の上端部と下端部を接続せしめ、前記伸張バネ体の伸張力によって、前記左側支持脚部と右側支持脚部を外側方に常時押圧し、前記押圧によって、前記上方ローラと下方ローラを比例して押圧せしめることができるようにしたので、前記上方ローラと前記下方ローラに張りめぐらされているカレンダー本体が、弛まず垂れたりせず、所望する月の月別カレンダーを常時見易くせしめることができる利点がある。
【００１３】
さらに、本発明は、上述のとおりなので、回転式カレンダーの製造が極めて簡単にして、且確実に、そして安価に製造することができる利点がある。
【図面の簡単な説明】
【００１４】
【図１】本発明の回転式カレンダーの正面図である。
【００１５】
【図２】同回転式カレンダーの背面図である。
【００１６】
【図３】同回転式カレンダーの右側面図である。
【００１７】
【図４】図３の回転式カレンダーの一部切欠拡大右側面図である。
【発明を実施するための最良の形態】
【００１８】
本発明の請求項１〜２に記載の発明に関する実施の形態は、共通しているので、一括して以下のとおり説明する。
【００１９】
図において、Ａは月日・７曜・祝祭日等が縦状に表示せしめられた１月から１２月までのフィルム状月別カレンダーａをエンドレス状にして、且リング状にて形成せしめられたカレンダー本体である。前記のカレンダーａは、限定するものでない。
【００２０】
ｂは通常縦断面形状が円形状をした長さが前記回転式カレンダー本体Ａを構成する月別カレンダーａの幅員よりも長目に形成せしめられた上方ローラである。１、２は前記ローラｂの端部である。
【００２１】
ｃは前記上方ローラｂと同じ構造にて形成せしめられた下方ローラである。１、２は前記ローラｃの端部である。
【００２２】
前記２本の上下方ローラｂ、ｃは、内部に充填部材２ａが詰められている。
【００２３】
ｄは線材を折曲せしめ形成された前記上下方ローラｂ、ｃを支持する左側支持脚部である。さらに、該左側支持脚部ｄは、分割されて上方支持部５と下方支持部６となっている。
【００２４】
そして、前記左側支持脚部ｄと反対側方の右側支持脚部ｅも、上方支持部５と下方支持部６に分割されている。
【００２５】
さらに、前記左側支持脚部ｄと前記右側支持脚部ｅの前記上方支持部５と下方支持部６には、伸張バネ体ｆの上方部と下方部が夫々接続されている。前記接続の手段は限定しない。
【００２６】
さらに、前記左右両側支持脚部ｄ、ｅを構成する上方支持部５、５は、図１、２、３、４に図示されているように、前記伸張バネ体ｆ内を通過し、パイプ状の下方支持部６、６内に嵌挿せしめられている。嵌挿の長さは限定しない。
【００２７】
本発明は、前記上方ローラｂと下方ローラｃを手指で軽く掴んで内側方向に押圧すると、前記左右両側支持脚部ｄ、ｅが、前記両伸張バネ体ｆ、ｆの縮み作用によって若干短くなる。
【００２８】
本発明は、前記のように、上方ローラｂと下方ローラｃを手指で軽く掴んで内側方向に押圧すると、エンドレス状の前記カレンダー本体Ａが、前記上方ローラｂと下方ローラｃの左側方もしくは右側方から、嵌挿せしめ組立てたり、分離せしめることができる。
【００２９】
図において、２ｂは前記上方ローラｂと下方ローラｃ内に詰込まれた充填部材２ａ内に貫通せしめられたパイプ状支持杆である。
【００３０】
前記上方ローラｂと下方ローラｃ内に嵌挿する前記パイプ状支持杆２ｂ内には、前記左側支持脚部ｄと前記右側支持脚部ｅの上方支持部５と下方支持部６が夫々貫通し、且接続し、前記パイプ状支持杆２ｂより左右両サイドに飛出せしめられて、左側支持脚部ｄと右側支持脚部ｅを構成する。
【００３１】
図において、７は左右両側支持脚部ｄ、ｅの上方支持部５と下方支持部６に、外側方に所定の形状にて折曲状に形成せしめられた突出状脚部である。図において、４個形成せしめられているが限定しない。
【００３２】
前記突出状脚部７、７、７、７によって、本発明は、の回転式カレンダーＡが、テーブル（図面なし）上に載置できる。
【００３３】
８は前記左右両側支持脚部ｄ、ｅの上方支持部５と下方支持部６と、前記伸張バネ体ｆの上端部と下端部とを接続せしめた接続部である。該接続部８の接続手段については、特に限定するものではない。因みに本発明は熔着してある。
【００３４】
図において、前記伸張バネ体ｆ内を貫通せしめている部材は、左右両側支持脚部ｄ、ｅの上方支持部５と下方支持部６であるが、これに限定するものでなく、下方支持部６でもよい。
【００３５】
本発明において、前記カレンダー本体Ａを構成する月別カレンダーａは、図面（図１、２）では１年間の１月から１２月となっているが、これに限定するものではない。
【００３６】
さらに、前記伸張バネ体ｆは、バネの種類の中で伸張バネが採用されている。
【００３７】
＜本発明の回転式カレンダーの製造法＞
つぎに本発明の回転式カレンダーの製造法について説明すると以下のとおりである。
【００３８】
第１工程として、暦の月日・７曜・祝祭日等が縦状に表示せしめられた１月から１２月までのフィルム状月別カレンダーａを接続せしめるカレンダー本体Ａを形成せしめる。
【００３９】
第２工程として、前記第１工程によって形成せしめられたカレンダー本体Ａの内側部に、前記上方ローラｂと前記下方ローラｃの両端部１、２に、伸張バネ体ｆを接続せしめた左側支持脚部ｄの端部３を、伸張バネ体ｆを接続せしめた右側支持脚部ｅの端部４を、夫々挿入し接続せしめ組立てる。
【００４０】
以上が本発明の回転式カレンダーの製造法である。
【００４１】
以上、本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００４２】
Ａ        カレンダー本体
ａ        月別カレンダー
ｂ        上方ローラ
ｃ        下方ローラ
ｄ        左側支持脚部
ｅ        右側支持脚部
ｆ        伸張バネ体
１        端部
２        端部
２ａ      充填部材
２ｂ      パイプ状支持杆
３        端部
４        端部
５        上方支持部
６        下方支持部
７        突出状脚部
８        接続部
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
月日・７曜・祝祭日等が縦状に表示せしめられた１月から１２月までのフィルム状月別カレンダーを接続せしめたエンドレス状にして且リング状のカレンダー本体を形成せしめ、前記カレンダー本体のリング状内側部に、上方ローラと下方ローラを嵌挿せしめ、前記上方ローラと下方ローラの両端部に、前記上方ローラと下方ローラが、弛まず張られた状態を確保せしめることができるように、左側支持脚部の端部と右側支持脚部の端部を前記上方ローラと前記下方ローラが回動できるように接続せしめ、且前記上方ローラと前記下方ローラとを平行状に並列せしめ組立てる回転式カレンダーにおいて、
前記左側支持脚部と前記右側支持脚部が、上方支持部と下方支持部に分割せしめられ、且前記上方支持部と前記下方支持部に、夫々伸張バネ体の上方部と下方部が接続せしめられ、前記伸張バネ体の伸張力によって、前記左側支持脚部と前記右側支持脚部が前記上方ローラと前記下方ローラとを常時突張らしめ、同時に前記カレンダー本体を弛まず突張り状態を保持せしめ、前記上方ローラと前記下方ローラの幅員が、前記カレンダー本体の幅員よりも大きく形成せしめられ、前記上方ローラと前記下方ローラが、縦断面が円形状に形成せしめられ、前記左側支持脚部と前記右側支持脚部の上方支持部と下方支持部に、外側方に所定の形状にて折曲状に突出状脚部を形成せしめ、組立てられていることを特徴とする回転式カレンダー。
【請求項２】
回転式カレンダーの製造法において、
第１工程として、暦の月日・７曜・祝祭日等が縦状に表示せしめられた１月から１２月までのフィルム状月別カレンダーを接続せしめるカレンダー本体を形成せしめ、
第２工程として、前記第１工程によって形成せしめられたカレンダー本体の内側部に、前記カレンダー本体が弛まず張られた状態を確保せしめることができるように上方ローラと下方ローラを嵌挿せしめ、
第３工程として、分割された左側支持脚部と右側支持脚部の上方支持部と下方支持部に、伸張バネ体の上方部と下方部が夫々接続せしめられ、前記左側支持脚部と前記右側支持脚部の上方支持部の上方部を、前記左側支持脚部と前記右側支持脚部の下方部を、前記上方ローラと前記下方ローラの両端部に挿入せしめ、且接続せしめて、前記上方ローラと前記下方ローラとを平行状に嵌挿し並列せしめ組立てることを特徴とする回転式カレンダーの製造法。
【手続補正２】
【補正対象書類名】明細書
【補正対象項目名】全文
【補正方法】変更
【補正の内容】
【発明の詳細な説明】
【技術分野】
【０００１】
本発明は、縦状に表示の１月から１２月までのエンドレス状にして且リング状の月別カレンダー本体の内側部に、上方ローラと下方ローラを平行状に嵌挿せしめ、前記上方ローラと下方ローラの両端部に、左右両側支持脚部を接続せしめ、前記左右両側支持脚部が上方支持部と下方支持部に分割され、前記上方支持部と下方支持部に伸張バネ体を接続せしめ、前記上方ローラと下方ローラを平行状に突っ張り並列せしめ組立てる回転式カレンダー及び製造法の技術分野に関するものである。
【背景技術】
【０００２】
従来、回転式カレンダー及び製造法として、本件出願人が特許出願済みの特願２０１８‐１２０７３６号がある。
【０００３】
前記した本件出願人が出願済みの特願２０１８−１２０７３６号の発明は、１月から１２月までの月別カレンダー本体のリング状内側部に、上方ローラと下方ローラを前記月別カレンダーに対し、直角状にして、且並列状に嵌挿せしめて、弛まず張られた状態を確保した構造にして、前記月別カレンダー本体を手指でつかみ、さらに月別カレンダー本体を上方向もしくは下方向にスライド可能な構造なので、所望する月毎の曜日、祝祭日等を極めて迅速にして且簡単に見ることができるようにしたものである。
【０００４】
さらに、前記発明の回転式カレンダーは、机上や室内の壁面に吸着せしめて、所望する月毎の曜日、祝祭日等を極めて迅速にして且簡単に見ることができるようにしたものである。
【０００５】
また、前記発明の回転式カレンダーは、カレンダー本体を前記カレンダー本体に対し直角状にして、且平行状の２本のローラに左右両側支持脚部を挿込み、常時突っ張り状態を持続せしめながら、カレンダー本体を弛むことなくカレンダー本体を極めて見易くしたものである。
【０００６】
さらに、前記発明の回転式カレンダーは、第１工程としてカレンダー本体を、第２工程としてカレンダー本体の内側に２つの上下方ローラを挿入せしめる工程とし、第３工程として、前記２本の上下方ローラを２本の左右両側支持脚部によって平行状に並列せしめて極めて簡単に製造できるようにしたものである。
【先行技術文献】
【特許文献】
【０００７】
【特許文献１】特願２０１８−１２０７３６号の発明
【発明の概要】
【発明が解決しようとする課題】
【０００８】
しかるに、本発明は、前記した特願２０１８−１２０７３６号の発明の構成部材である、左側支持脚部と右側支持脚部が、上方ローラと下方ローラを弛まず張られた状態を確実に持続せしめることができなかったものを、前記左右両側支持脚部を分割して構成し、分割構成された上方支持部と下方支持部の間に、伸張バネ体を離脱しないように接続せしめることによって前記上方ローラと前記下方ローラを外側方に均一に強く押圧支持して、カレンダー本体の弛みと張りを確実に確保せしめ、前記カレンダー本体のフィルム状カレンダーをより一層見易くした。
【０００９】
さらに、本発明は、前記カレンダー本体に対する手指での摘みながらの回動表示操作をより一層スムーズにせしめた。
【課題を解決するための手段】
【００１０】
課題を解決するための手段として、請求項１に記載の発明は、月日・７曜・祝祭日等が縦状に表示せしめられた１月から１２月までのフィルム状月別カレンダーａを接続せしめたエンドレス状にして且リング状のカレンダー本体Ａを形成せしめ、前記カレンダー本体Ａのリング状内側部に、上方ローラｂと下方ローラｃを嵌挿せしめ、前記上方ローラｂと下方ローラｃの両端部１、２に、前記上方ローラｂと下方ローラｃが、弛まず張られた状態を確保せしめることができるように、左側支持脚部ｄの端部３と右側支持脚部ｅの端部４を前記上方ローラｂと前記下方ローラｃが回動できるように接続せしめ、且前記上方ローラｂと前記下方ローラｃとを平行状に並列せしめ組立てる回転式カレンダーにおいて、
前記左側支持脚部ｄと前記右側支持脚部ｅが、上方支持部５と下方支持部６に分割せしめられ、且前記上方支持部５と前記下方支持部６に、夫々伸張バネ体ｆの上方部と下方部が接続せしめられ、前記伸張バネ体ｆの伸張力によって、前記左側支持脚部ｄと前記右側支持脚部ｅが前記上方ローラｂと前記下方ローラｃとを常時突張らしめ、同時に前記カレンダー本体Ａを弛まず突張り状態を保持せしめ、前記上方ローラｂと前記下方ローラｃの幅員が、前記カレンダー本体Ａの幅員よりも大きく形成せしめられ、前記上方ローラｂと前記下方ローラｃが、縦断面が円形状に形成せしめられ、前記左側支持脚部ｄと前記右側支持脚部ｅの上方支持部５と下方支持部６に、外側方に所定の形状にて折曲状に突出状脚部７を形成せしめ、組立てられていることを特徴とする回転式カレンダーである。
【００１１】
課題を解決するための手段として、請求項２に記載の発明は、回転式カレンダーの製造法において、
第１工程として、暦の月日・７曜・祝祭日等が縦状に表示せしめられた１月から１２月までのフィルム状月別カレンダーａを接続せしめるカレンダー本体Ａを形成せしめ、
第２工程として、前記第１工程によって形成せしめられたカレンダー本体Ａの内側部に、前記カレンダー本体Ａが弛まず張られた状態を確保せしめることができるように上方ローラｂと下方ローラｃを嵌挿せしめ、
第３工程として、分割された左側支持脚部ｄと右側支持脚部ｅの上方支持部５と下方支持部６に、伸張バネ体ｆの上方部と下方部が夫々接続せしめられ、前記左側支持脚部ｄと前記右側支持脚部ｅの上方支持部５の上方部を、前記左側支持脚部ｄと前記右側支持脚部ｅの下方部を、前記上方ローラｂと前記下方ローラｃの両端部１、２に挿入せしめ、且接続せしめて、前記上方ローラｂと前記下方ローラｃとを平行状に嵌挿し並列せしめ組立てることを特徴とする回転式カレンダーの製造法である。
【発明の効果】
【００１２】
本発明は、上述のとおりの構成及び製法であって、殊に、フィルム状カレンダーを有するカレンダー本体を、組立て後に弛まない状態を持続せしめるために、上方ローラと下方ローラを押圧支持せしめる左側支持脚部と右側支持脚部を、夫々分割し、分割せしめられた上方支持部と下方支持部の下端部と上端部に、伸張バネ体の上端部と下端部を接続せしめ、前記伸張バネ体の伸張力によって、前記左側支持脚部と右側支持脚部を外側方に常時押圧し、前記押圧によって、前記上方ローラと下方ローラを比例して押圧せしめることができるようにしたので、前記上方ローラと前記下方ローラに張りめぐらされているカレンダー本体が、弛まず垂れたりせず、所望する月の月別カレンダーを常時見易くせしめることができる利点がある。
【００１３】
さらに、本発明は、上述のとおりなので、回転式カレンダーの製造が極めて簡単にして、且確実に、そして安価に製造することができる利点がある。
【図面の簡単な説明】
【００１４】
【図１】本発明の回転式カレンダーの正面図である。
【００１５】
【図２】同回転式カレンダーの背面図である。
【００１６】
【図３】同回転式カレンダーの右側面図である。
【００１７】
【図４】図３の回転式カレンダーの一部切欠拡大右側面図である。
【発明を実施するための最良の形態】
【００１８】
本発明の請求項１〜２に記載の発明に関する実施の形態は、共通しているので、一括して以下のとおり説明する。
【００１９】
図において、Ａは月日・７曜・祝祭日等が縦状に表示せしめられた１月から１２月までのフィルム状月別カレンダーａをエンドレス状にして、且リング状にて形成せしめられたカレンダー本体である。前記のカレンダーａは、限定するものでない。
【００２０】
ｂは通常縦断面形状が円形状をした長さが前記回転式カレンダー本体Ａを構成する月別カレンダーａの幅員よりも長目に形成せしめられた上方ローラである。１、２は前記ローラｂの端部である。
【００２１】
ｃは前記上方ローラｂと同じ構造にて形成せしめられた下方ローラである。１、２は前記ローラｃの端部である。
【００２２】
前記２本の上下方ローラｂ、ｃは、内部に充填部材２ａが詰められている。
【００２３】
ｄは線材を折曲せしめ形成された前記上下方ローラｂ、ｃを支持する左側支持脚部である。さらに、該左側支持脚部ｄは、分割されて上方支持部５と下方支持部６となっている。
【００２４】
そして、前記左側支持脚部ｄと反対側方の右側支持脚部ｅも、上方支持部５と下方支持部６に分割されている。
【００２５】
さらに、前記左側支持脚部ｄと前記右側支持脚部ｅの前記上方支持部５と下方支持部６には、伸張バネ体ｆの上方部と下方部が夫々接続されている。前記接続の手段は限定しない。
【００２６】
さらに、前記左右両側支持脚部ｄ、ｅを構成する上方支持部５、５は、図１、２、３、４に図示されているように、前記伸張バネ体ｆ内を通過し、パイプ状の下方支持部６、６内に嵌挿せしめられている。嵌挿の長さは限定しない。
【００２７】
本発明は、前記上方ローラｂと下方ローラｃを手指で軽く掴んで内側方向に押圧すると、前記左右両側支持脚部ｄ、ｅが、前記両伸張バネ体ｆ、ｆの縮み作用によって若干短くなる。
【００２８】
本発明は、前記のように、上方ローラｂと下方ローラｃを手指で軽く掴んで内側方向に押圧すると、エンドレス状の前記カレンダー本体Ａが、前記上方ローラｂと下方ローラｃの左側方もしくは右側方から、嵌挿せしめ組立てたり、分離せしめることができる。
【００２９】
図において、２ｂは前記上方ローラｂと下方ローラｃ内に詰込まれた充填部材２ａ内に貫通せしめられたパイプ状支持杆である。
【００３０】
前記上方ローラｂと下方ローラｃ内に嵌挿する前記パイプ状支持杆２ｂ内には、前記左側支持脚部ｄと前記右側支持脚部ｅの上方支持部５と下方支持部６が夫々貫通し、且接続し、前記パイプ状支持杆２ｂより左右両サイドに飛出せしめられて、左側支持脚部ｄと右側支持脚部ｅを構成する。
【００３１】
図において、７は左右両側支持脚部ｄ、ｅの上方支持部５と下方支持部６に、外側方に所定の形状にて折曲状に形成せしめられた突出状脚部である。図において、４個形成せしめられているが限定しない。
【００３２】
前記突出状脚部７、７、７、７によって、本発明は、の回転式カレンダーＡが、テーブル（図面なし）上に載置できる。
【００３３】
８は前記左右両側支持脚部ｄ、ｅの上方支持部５と下方支持部６と、前記伸張バネ体ｆの上端部と下端部とを接続せしめた接続部である。該接続部８の接続手段については、特に限定するものではない。因みに本発明は熔着してある。
【００３４】
図において、前記伸張バネ体ｆ内を貫通せしめている部材は、左右両側支持脚部ｄ、ｅの上方支持部５と下方支持部６であるが、これに限定するものでなく、下方支持部６でもよい。
【００３５】
本発明において、前記カレンダー本体Ａを構成する月別カレンダーａは、図面（図１、２）では１年間の１月から１２月となっているが、これに限定するものではない。
【００３６】
さらに、前記伸張バネ体ｆは、バネの種類の中で伸張バネが採用されている。
【００３７】
＜本発明の回転式カレンダーの製造法＞
つぎに本発明の回転式カレンダーの製造法について説明すると以下のとおりである。
【００３８】
第１工程として、暦の月日・７曜・祝祭日等が縦状に表示せしめられた１月から１２月までのフィルム状月別カレンダーａを接続せしめるカレンダー本体Ａを形成せしめる。
【００３９】
第２工程として、前記第１工程によって形成せしめられたカレンダー本体Ａの内側部に、前記上方ローラｂと前記下方ローラｃの両端部１、２に、伸張バネ体ｆを接続せしめた左側支持脚部ｄの端部３を、伸張バネ体ｆを接続せしめた右側支持脚部ｅの端部４を、夫々挿入し接続せしめ組立てる。
【００４０】
以上が本発明の回転式カレンダーの製造法である。
【００４１】
以上、本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００４２】
Ａ        カレンダー本体
ａ        月別カレンダー
ｂ        上方ローラ
ｃ        下方ローラ
ｄ        左側支持脚部
ｅ        右側支持脚部
ｆ        伸張バネ体
１        端部
２        端部
２ａ      充填部材
２ｂ      パイプ状支持杆
３        端部
４        端部
５        上方支持部
６        下方支持部
７        突出状脚部
８        接続部
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
月日・７曜・祝祭日等が縦状に表示せしめられた１月から１２月までのフィルム状月別カレンダーを接続せしめたエンドレス状にして且リング状のカレンダー本体を形成せしめ、前記カレンダー本体のリング状内側部に、上方ローラと下方ローラを嵌挿せしめ、前記上方ローラと下方ローラの両端部に、前記上方ローラと下方ローラが、弛まず張られた状態を確保せしめることができるように、左側支持脚部の端部と右側支持脚部の端部を前記上方ローラと前記下方ローラが回動できるように接続せしめ、且前記上方ローラと前記下方ローラとを平行状に並列せしめ組立てる回転式カレンダーにおいて、
前記左側支持脚部と前記右側支持脚部が、上方支持部と下方支持部に分割せしめられ、且前記上方支持部と前記下方支持部に、夫々伸張バネ体の上方部と下方部が接続せしめられ、前記伸張バネ体の伸張力によって、前記左側支持脚部と前記右側支持脚部が前記上方ローラと前記下方ローラとを常時突張らしめ、同時に前記カレンダー本体を弛まず突張り状態を保持せしめ、前記上方ローラと前記下方ローラの幅員が、前記カレンダー本体の幅員よりも大きく形成せしめられ、前記上方ローラと前記下方ローラが、縦断面が円形状に形成せしめられ、前記左側支持脚部と前記右側支持脚部の上方支持部と下方支持部に、外側方に所定の形状にて折曲状に突出状脚部を形成せしめ、組立てられていることを特徴とする回転式カレンダー。
【請求項２】
回転式カレンダーの製造法において、
第１工程として、暦の月日・７曜・祝祭日等が縦状に表示せしめられた１月から１２月までのフィルム状月別カレンダーを接続せしめたエンドレス状にして且リング状のカレンダー本体を形成せしめ、
第２工程として、前記第１工程によって形成せしめられたエンドレス状にして且リング状のカレンダー本体の内側部に、前記カレンダー本体が弛まず張られた状態を確保せしめることができるように上方ローラと下方ローラを嵌挿せしめ、
第３工程として、分割された左側支持脚部と右側支持脚部の上方支持部と下方支持部に、伸張バネ体の上方部と下方部が夫々接続せしめられ、前記左側支持脚部と前記右側支持脚部の上方支持部の上方部を、前記左側支持脚部と前記右側支持脚部の下方部を、前記上方ローラと前記下方ローラの両端部に挿入せしめ、且接続せしめて、前記上方ローラと前記下方ローラとを平行状に嵌挿し並列せしめ組立てることを特徴とする回転式カレンダーの製造法。
【手続補正２】
【補正対象書類名】明細書
【補正対象項目名】全文
【補正方法】変更
【補正の内容】
【発明の詳細な説明】
【技術分野】
【０００１】
本発明は、縦状に表示の１月から１２月までのエンドレス状にして且リング状の月別カレンダー本体の内側部に、上方ローラと下方ローラを平行状に嵌挿せしめ、前記上方ローラと下方ローラの両端部に、左右両側支持脚部を接続せしめ、前記左右両側支持脚部が上方支持部と下方支持部に分割され、前記上方支持部と下方支持部に伸張バネ体を接続せしめ、前記上方ローラと下方ローラを平行状に突っ張り並列せしめ組立てる回転式カレンダー及び製造法の技術分野に関するものである。
【背景技術】
【０００２】
従来、回転式カレンダー及び製造法として、本件出願人が特許出願済みの特願２０１８‐１２０７３６号がある。
【０００３】
前記した本件出願人が出願済みの特願２０１８−１２０７３６号の発明は、１月から１２月までの月別カレンダー本体のリング状内側部に、上方ローラと下方ローラを前記月別カレンダーに対し、直角状にして、且並列状に嵌挿せしめて、弛まず張られた状態を確保した構造にして、前記月別カレンダー本体を手指でつかみ、さらに月別カレンダー本体を上方向もしくは下方向にスライド可能な構造なので、所望する月毎の曜日、祝祭日等を極めて迅速にして且簡単に見ることができるようにしたものである。
【０００４】
さらに、前記発明の回転式カレンダーは、机上や室内の壁面に吸着せしめて、所望する月毎の曜日、祝祭日等を極めて迅速にして且簡単に見ることができるようにしたものである。
【０００５】
また、前記発明の回転式カレンダーは、カレンダー本体を前記カレンダー本体に対し直角状にして、且平行状の２本のローラに左右両側支持脚部を挿込み、常時突っ張り状態を持続せしめながら、カレンダー本体を弛むことなくカレンダー本体を極めて見易くしたものである。
【０００６】
さらに、前記発明の回転式カレンダーは、第１工程としてカレンダー本体を、第２工程としてカレンダー本体の内側に２つの上下方ローラを挿入せしめる工程とし、第３工程として、前記２本の上下方ローラを２本の左右両側支持脚部によって平行状に並列せしめて極めて簡単に製造できるようにしたものである。
【先行技術文献】
【特許文献】
【０００７】
【特許文献１】特願２０１８−１２０７３６号の発明
【発明の概要】
【発明が解決しようとする課題】
【０００８】
しかるに、本発明は、前記した特願２０１８−１２０７３６号の発明の構成部材である、左側支持脚部と右側支持脚部が、上方ローラと下方ローラを弛まず張られた状態を確実に持続せしめることができなかったものを、前記左右両側支持脚部を分割して構成し、分割構成された上方支持部と下方支持部の間に、伸張バネ体を離脱しないように接続せしめることによって前記上方ローラと前記下方ローラを外側方に均一に強く押圧支持して、カレンダー本体の弛みと張りを確実に確保せしめ、前記カレンダー本体のフィルム状カレンダーをより一層見易くした。
【０００９】
さらに、本発明は、前記カレンダー本体に対する手指での摘みながらの回動表示操作をより一層スムーズにせしめた。
【課題を解決するための手段】
【００１０】
課題を解決するための手段として、請求項１に記載の発明は、月日・７曜・祝祭日等が縦状に表示せしめられた１月から１２月までのフィルム状月別カレンダーａを接続せしめたエンドレス状にして且リング状のカレンダー本体Ａを形成せしめ、前記カレンダー本体Ａのリング状内側部に、上方ローラｂと下方ローラｃを嵌挿せしめ、前記上方ローラｂと下方ローラｃの両端部１、２に、前記上方ローラｂと下方ローラｃが、弛まず張られた状態を確保せしめることができるように、左側支持脚部ｄの端部３と右側支持脚部ｅの端部４を前記上方ローラｂと前記下方ローラｃが回動できるように接続せしめ、且前記上方ローラｂと前記下方ローラｃとを平行状に並列せしめ組立てる回転式カレンダーにおいて、
前記左側支持脚部ｄと前記右側支持脚部ｅが、上方支持部５と下方支持部６に分割せしめられ、且前記上方支持部５と前記下方支持部６に、夫々伸張バネ体ｆの上方部と下方部が接続せしめられ、前記伸張バネ体ｆの伸張力によって、前記左側支持脚部ｄと前記右側支持脚部ｅが前記上方ローラｂと前記下方ローラｃとを常時突張らしめ、同時に前記カレンダー本体Ａを弛まず突張り状態を保持せしめ、前記上方ローラｂと前記下方ローラｃの幅員が、前記カレンダー本体Ａの幅員よりも大きく形成せしめられ、前記上方ローラｂと前記下方ローラｃが、縦断面が円形状に形成せしめられ、前記左側支持脚部ｄと前記右側支持脚部ｅの上方支持部５と下方支持部６に、外側方に所定の形状にて折曲状に突出状脚部７を形成せしめ、組立てられていることを特徴とする回転式カレンダーである。
【００１１】
課題を解決するための手段として、請求項２に記載の発明は、回転式カレンダーの製造法において、
第１工程として、暦の月日・７曜・祝祭日等が縦状に表示せしめられた１月から１２月までのフィルム状月別カレンダーａを接続せしめたエンドレス状にして且リング状のカレンダー本体Ａを形成せしめ、
第２工程として、前記第１工程によって形成せしめられたエンドレス状にして且リング状のカレンダー本体Ａの内側部に、前記カレンダー本体Ａが弛まず張られた状態を確保せしめることができるように上方ローラｂと下方ローラｃを嵌挿せしめ、
第３工程として、分割された左側支持脚部ｄと右側支持脚部ｅの上方支持部５と下方支持部６に、伸張バネ体ｆの上方部と下方部が夫々接続せしめられ、前記左側支持脚部ｄと前記右側支持脚部ｅの上方支持部５の上方部を、前記左側支持脚部ｄと前記右側支持脚部ｅの下方部を、前記上方ローラｂと前記下方ローラｃの両端部１、２に挿入せしめ、且接続せしめて、前記上方ローラｂと前記下方ローラｃとを平行状に嵌挿し並列せしめ組立てることを特徴とする回転式カレンダーの製造法である。
【発明の効果】
【００１２】
本発明は、上述のとおりの構成及び製法であって、殊に、フィルム状カレンダーを有するカレンダー本体を、組立て後に弛まない状態を持続せしめるために、上方ローラと下方ローラを押圧支持せしめる左側支持脚部と右側支持脚部を、夫々分割し、分割せしめられた上方支持部と下方支持部の下端部と上端部に、伸張バネ体の上端部と下端部を接続せしめ、前記伸張バネ体の伸張力によって、前記左側支持脚部と右側支持脚部を外側方に常時押圧し、前記押圧によって、前記上方ローラと下方ローラを比例して押圧せしめることができるようにしたので、前記上方ローラと前記下方ローラに張りめぐらされているカレンダー本体が、弛まず垂れたりせず、所望する月の月別カレンダーを常時見易くせしめることができる利点がある。
【００１３】
さらに、本発明は、上述のとおりなので、回転式カレンダーの製造が極めて簡単にして、且確実に、そして安価に製造することができる利点がある。
【図面の簡単な説明】
【００１４】
【図１】本発明の回転式カレンダーの正面図である。
【００１５】
【図２】同回転式カレンダーの背面図である。
【００１６】
【図３】同回転式カレンダーの右側面図である。
【００１７】
【図４】図３の回転式カレンダーの一部切欠拡大右側面図である。
【発明を実施するための最良の形態】
【００１８】
本発明の請求項１〜２に記載の発明に関する実施の形態は、共通しているので、一括して以下のとおり説明する。
【００１９】
図において、Ａは月日・７曜・祝祭日等が縦状に表示せしめられた１月から１２月までのフィルム状月別カレンダーａをエンドレス状にして、且リング状にて形成せしめられたカレンダー本体である。前記のカレンダーａは、限定するものでない。
【００２０】
ｂは通常縦断面形状が円形状をした長さが前記回転式カレンダー本体Ａを構成する月別カレンダーａの幅員よりも長目に形成せしめられた上方ローラである。１、２は前記ローラｂの端部である。
【００２１】
ｃは前記上方ローラｂと同じ構造にて形成せしめられた下方ローラである。１、２は前記ローラｃの端部である。
【００２２】
前記２本の上下方ローラｂ、ｃは、内部に充填部材２ａが詰められている。
【００２３】
ｄは線材を折曲せしめ形成された前記上下方ローラｂ、ｃを支持する左側支持脚部である。さらに、該左側支持脚部ｄは、分割されて上方支持部５と下方支持部６となっている。
【００２４】
そして、前記左側支持脚部ｄと反対側方の右側支持脚部ｅも、上方支持部５と下方支持部６に分割されている。
【００２５】
さらに、前記左側支持脚部ｄと前記右側支持脚部ｅの前記上方支持部５と下方支持部６には、伸張バネ体ｆの上方部と下方部が夫々接続されている。前記接続の手段は限定しない。
【００２６】
さらに、前記左右両側支持脚部ｄ、ｅを構成する上方支持部５、５は、図１、２、３、４に図示されているように、前記伸張バネ体ｆ内を通過し、パイプ状の下方支持部６、６内に嵌挿せしめられている。嵌挿の長さは限定しない。
【００２７】
本発明は、前記上方ローラｂと下方ローラｃを手指で軽く掴んで内側方向に押圧すると、前記左右両側支持脚部ｄ、ｅが、前記両伸張バネ体ｆ、ｆの縮み作用によって若干短くなる。
【００２８】
本発明は、前記のように、上方ローラｂと下方ローラｃを手指で軽く掴んで内側方向に押圧すると、エンドレス状の前記カレンダー本体Ａが、前記上方ローラｂと下方ローラｃの左側方もしくは右側方から、嵌挿せしめ組立てたり、分離せしめることができる。
【００２９】
図において、２ｂは前記上方ローラｂと下方ローラｃ内に詰込まれた充填部材２ａ内に貫通せしめられたパイプ状支持杆である。
【００３０】
前記上方ローラｂと下方ローラｃ内に嵌挿する前記パイプ状支持杆２ｂ内には、前記左側支持脚部ｄと前記右側支持脚部ｅの上方支持部５と下方支持部６が夫々貫通し、且接続し、前記パイプ状支持杆２ｂより左右両サイドに飛出せしめられて、左側支持脚部ｄと右側支持脚部ｅを構成する。
【００３１】
図において、７は左右両側支持脚部ｄ、ｅの上方支持部５と下方支持部６に、外側方に所定の形状にて折曲状に形成せしめられた突出状脚部である。図において、４個形成せしめられているが限定しない。
【００３２】
前記突出状脚部７、７、７、７によって、本発明は、の回転式カレンダーＡが、テーブル（図面なし）上に載置できる。
【００３３】
８は前記左右両側支持脚部ｄ、ｅの上方支持部５と下方支持部６と、前記伸張バネ体ｆの上端部と下端部とを接続せしめた接続部である。該接続部８の接続手段については、特に限定するものではない。因みに本発明は熔着してある。
【００３４】
図において、前記伸張バネ体ｆ内を貫通せしめている部材は、左右両側支持脚部ｄ、ｅの上方支持部５と下方支持部６であるが、これに限定するものでなく、下方支持部６でもよい。
【００３５】
本発明において、前記カレンダー本体Ａを構成する月別カレンダーａは、図面（図１、２）では１年間の１月から１２月となっているが、これに限定するものではない。
【００３６】
さらに、前記伸張バネ体ｆは、バネの種類の中で伸張バネが採用されている。
【００３７】
＜本発明の回転式カレンダーの製造法＞
つぎに本発明の回転式カレンダーの製造法について説明すると以下のとおりである。
【００３８】
第１工程として、暦の月日・７曜・祝祭日等が縦状に表示せしめられた１月から１２月までのフィルム状月別カレンダーａを接続せしめるカレンダー本体Ａを形成せしめる。
【００３９】
第２工程として、前記第１工程によって形成せしめられたカレンダー本体Ａの内側部に、前記上方ローラｂと前記下方ローラｃの両端部１、２に、伸張バネ体ｆを接続せしめた左側支持脚部ｄの端部３を、伸張バネ体ｆを接続せしめた右側支持脚部ｅの端部４を、夫々挿入し接続せしめ組立てる。
【００４０】
以上が本発明の回転式カレンダーの製造法である。
【００４１】
以上、本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００４２】
Ａ        カレンダー本体
ａ        月別カレンダー
ｂ        上方ローラ
ｃ        下方ローラ
ｄ        左側支持脚部
ｅ        右側支持脚部
ｆ        伸張バネ体
１        端部
２        端部
２ａ      充填部材
２ｂ      パイプ状支持杆
３        端部
４        端部
５        上方支持部
６        下方支持部
７        突出状脚部
８        接続部